(57)【要約】      （修正有）【課題】操作ボタンの後方に配置されるスイッチなどの部品を操作ボタンの後部に近づけた状態で配置させ、電子機器内のスペースの小型化を図った操作ボタンを備えた電子機器を提供する。【解決手段】直接触れて操作を行うボタン部１０と、ボタン部１０を取り付けキャビネット２内部の回路基板５に配置したスイッチ４を押圧してオン／オフを行うボタンフレーム２０とを別部材として構成した操作ボタン１５を備え、キャビネット２の孔部３からボタン部１０を突出させた状態で配置する。ボタンフレーム２０の前面側に設けた係止フック２５でボタン部１０を係止させ、ボタン部１０とボタンフレーム２０とを一体的に設けた際、ボタンフレーム２０の背面側に係止フック２５が配置されることがない為、ボタンフレーム２０の後部に空間部を確保することが可能となり、ボタンフレーム２０の後部２０Ａにスイッチ４などを近づけた状態で配置することができる。【選択図】    図９
2006156244.tif 000002
【特許請求の範囲】
【請求項１】
直接触れて操作を行うボタン部と、このボタン部を取り付け電子機器内部の基板に配置したスイッチを押圧してオン／オフを行うボタンフレームとを別部材として構成した操作ボタンを備えた電子機器において、この電子機器のキャビネットに形成された孔部から前記ボタン部を突出させた状態で配置させ、前記ボタンフレームの前面側に係止手段を設け、この係止手段により前記ボタン部を係止させ、前記ボタン部と前記ボタンフレームとを一体的に設けたことを特徴とする操作ボタンを備えた電子機器。
【請求項２】
前記係止手段は、鉤状の係止フックであることを特徴とする請求項１記載の操作ボタンを備えた電子機器。
【請求項３】
前記ボタン部の表面に導電性を有する被覆層を備え、前記ボタンフレームの材質を導電性を有さない樹脂製にしたことを特徴とする請求項１又は２記載の操作ボタンを備えた電子機器。
【発明の詳細な説明】
【技術分野】
【０００１】
本発明は、押しボタン式の操作ボタンを備えた電子機器に関し、特にテレビジョン受像機などの電子機器の操作ボタンの操作時に、この操作ボタンの動作によりスイッチのオン／オフ操作がなされる操作ボタンを備えた電子機器に関する。
【背景技術】
【０００２】
従来から、押しボタン式の操作ボタンを電子機器の前面などに突出して配置させ、操作ボタンを押圧して操作することにより、電源のオン／オフ操作を行うことができる電子機器が一般的に利用されている。こうした従来技術として、特許文献１には、機器内に固定されたケース部の係止穴に、押しボタン本体部の両端部から後方に延設され突出された爪部を係止させることによりケース部に押しボタン本体部を取り付け、指でボタン本体部の前部を押して可動させ、押しボタン本体部の後部であってケース部の貫通孔に挿入された押し棒により機器内のケース部の後ろに配置されたスイッチが押されて操作される押しボタンが提案されている。
【０００３】
【特許文献１】特開平１０−１２０８３号公報
【発明の開示】
【発明が解決しようとする課題】
【０００４】
しかし、上記特許文献１においては、ケース部に押しボタン本体部を取り付ける為の爪部がケース部側である後方に突出していることから、ケース部に押しボタン本体部を取り付けた状態においては、ケース部の後方に爪部の先端が突出してしまうので、ケース部の後部に極めて近接させた状態で、スイッチなどの部品や部材を配置するには好ましい構造ではなかった。しかも、押しボタン本体部の形状は複雑であり、例えば押しボタン本体部の表面にメッキ処理などを行う際には爪部に掛からないようマスキングなどが必要となり、又、その形状そのものが複雑であることからメッキ処理自体も難しくなってしまう。さらに、爪部がケース部の後側に突出することにより、ボタン本体部にメッキ処理すると共に、ケース部の後側に基板が配置されている構造では、この基板と爪部とを離して沿面距離をかせぐ必要がある。
【０００５】
本発明は、上記問題点を鑑みてなされたものであり、操作ボタンの後方に配置されるスイッチなどの部品を操作ボタンの後部に近づけた状態で配置させ、電子機器内のスペースの小型化を図った操作ボタンを備えた電子機器を提供することを目的とする。
【課題を解決するための手段】
【０００６】
本発明の請求項１の操作ボタンを備えた電子機器は、直接触れて操作を行うボタン部と、このボタン部を取り付け電子機器内部の基板に配置したスイッチを押圧してオン／オフを行うボタンフレームとを別部材として構成した操作ボタンを備えた電子機器において、この電子機器のキャビネットに形成された孔部から前記ボタン部を突出させた状態で配置させ、前記ボタンフレームの前面側に係止手段を設け、この係止手段により前記ボタン部を係止させ、前記ボタン部と前記ボタンフレームとを一体的に設けたことを特徴とする。
【０００７】
本発明の請求項２の操作ボタンを備えた電子機器は、請求項１記載の操作ボタンを備えた電子機器において、前記係止手段は、鉤状の係止フックであることを特徴とする。
【０００８】
請求項１又は２の構成により、ボタンフレームの前面側の係止爪などの係止手段によりボタンフレームにボタン部の取り付けを行うことにより、ボタン部をボタンフレームに取り付けた状態では、ボタンフレームの背面側に係止手段が配置されることがない為、ボタンフレームの後部に空間部を確保することが可能となり、ボタンフレームの後部にスイッチを近づけた状態でスイッチなどを配置することができる。
【０００９】
本発明の請求項３の操作ボタンを備えた電子機器は、請求項１又は２記載の操作ボタンを備えた電子機器において、前記ボタン部の表面に導電性を有する被覆層を備え、前記ボタンフレームの材質を導電性を有さない樹脂製にしたことを特徴とする。
【００１０】
請求項３の構成により、表面に導電性を有する被覆層を備えたボタン部を樹脂製のボタンフレームに取り付けた状態において、ボタン部に帯電された静電気を導電性を有さないボタンフレームにより遮断することができるので、ボタンフレームの背面側にスイッチを配置したとしても、ボタン部からスイッチを介して基板への静電気によるショートを防止することができる。
【発明の効果】
【００１１】
本発明の請求項１又は２の操作ボタンを備えた電子機器によれば、直接触れて操作を行うボタン部と、このボタン部を取り付け電子機器内部の基板に配置したスイッチを押圧してオン／オフを行うボタンフレームとを別部材として構成した操作ボタンを備えた電子機器において、この電子機器のキャビネットに形成された孔部から前記ボタン部を突出させた状態で配置させ、前記ボタンフレームの前面側に鉤状の係止フックなどの係止手段を設け、この係止手段により前記ボタン部を係止させ、前記ボタン部と前記ボタンフレームとを一体的に設けたので、ボタン部をボタンフレームに取り付けた際に、ボタンフレームの後部に空間部を確保することが可能となり、ボタンフレームの背面側に係止フックの先端部等が突出することがない為、ボタンフレームの後部にスイッチなどを近づけた状態で配置することができ、結果的に、ボタンフレームとスイッチなどを配置した回路基板との間隔を小さくして配置することができるので、ボタンフレームと基板との間隔を小さくすることが可能になることで電子機器全体の小型化を図ることが可能となる。
【００１２】
本発明の請求項３の操作ボタンを備えた電子機器によれば、請求項１又は２記載の操作ボタンを備えた電子機器において、前記ボタン部の表面に導電性を有する被覆層を備え、前記ボタンフレームの材質を導電性を有さない樹脂製にしたものであり、ボタン部に帯電された静電気を導電性を有さないボタンフレームにより遮断することができるので、ボタンフレームの背面側にスイッチを配置したとしても、ボタン部からスイッチを介して基板への静電気によるショートを防止することができ、電子機器が故障することを防止することができる。
【発明を実施するための最良の形態】
【００１３】
以下、本発明を実施するための最良の形態としての実施例を図１〜図１８に基づき以下に説明する。もちろん、本発明は、その発明の趣旨に反しない範囲で、実施例において説明した以外の構成のものに対しても容易に適用可能なことは説明を要するまでもない。
【実施例１】
【００１４】
図１は本実施例における電子機器を示す斜視図、図２は電子機器に備えられたボタン部とボタンフレームとからなる操作ボタンの分解斜視図、図３はボタン部とボタンフレームとを一体的に設けた状態を示す斜視図、図４はボタン部の側面図、図５はボタン部を取り付けたボタンフレームを電子機器のキャビネットに取り付けた状態を示す側面図、図６はボタン部を取り付けたボタンフレームを電子機器のキャビネットに取り付けた状態を示す断面図である。
【００１５】
図１に示す電子機器は前後方向の長さが薄型化されたテレビジョン受像機１であり、このテレビジョン受像機１のキャビネット２に形成された孔部３には、図５及び図６に示すように、ユーザーなどがテレビジョン受像機１の操作を行う時に直接触れて操作を行う為のボタン部１０が挿入されキャビネット２から外側に突出して配置され、キャビネット２に形成されたボス部２Ａに図示しない複数の電子部品の配置される回路基板５がネジ止め固定され、この回路基板５上に押圧されて電源のオン／オフなどの操作のされる押しボタン式のスイッチ４が配置されている。
【００１６】
前記ボタン部１０は、図２〜図４に示すように、少なくともベースとなるボタン基部１１と、ボタン基部１１より前側に突出した操作部突起１２と、ボタン基部１１の後部の位置決め突起１３とが一体に構成され、ボタン部１０の表面は、金属又は金属合金等の導電性を有する被覆層を備え、より詳しくは、ボタン部１０の表面はメッキ処理がなされている。
【００１７】
２０はボタン部１０の取り付けられる導電性を有さない樹脂製のボタンフレームであり、このボタンフレーム２０は、このボタンフレーム２０のベースとなる基部２１の下方に設けられた孔部２２をキャビネット２に形成された突起２３に挿嵌して取り付けられている。また、２８はボタンフレーム２０の下方に設けられている薄肉のヒンジ部であり、図５に示す状態において、操作ボタン１５を操作すると、ボタンフレーム２０の上部に形成した基部２１が、ヒンジ部２８によりボタンフレーム２０の下部の取り付け部２９を支点として傾動されるようになっており、すなわち、ユーザーが操作ボタン１５のボタン部１０を水平方向に押すことにより操作した際に、スイッチ４の先端と接触されるボタンフレームの後部２０Ａが、ヒンジ部２８の撓みによってスイッチ４の操作方向側（図５に示す右側）に傾動され、スイッチ４の先端を押圧してスイッチ４のオン／オフを行うよう構成されている。
【００１８】
また、前記基部２１の両側端より前側に延設された延設部２４の先端には、係止手段としての係止フック２５が設けられている。そして、ボタン部１０の後部に設けられた位置決め突起１３がボタンフレーム２０の基部２１に形成された貫通孔２６Ａに嵌合され、ボタン部１０とボタンフレーム２０とにより構成される操作ボタン１５は一体になるようになっている。なお、本実施例においては、ボタン部１０の位置決め突起１３とボタンフレーム２０の基部２１の貫通孔２６Ａとが嵌合される嵌合部を有することで、ボタン部１０とボタンフレーム２０とが所定の位置に位置決めされるように構成されているが、特にこういった構成に限定するものではなく、ボタン部１０とボタンフレーム２０とが相互に位置決めできる構成であれば、ボタン部１０に貫通孔２６Ａを設け、ボタンフレーム２０に位置決め突起１３を設けたり、或いは、貫通孔２６Ａの代わりに基部２１の前後を貫通していない単なる凹部２６を形成するなど種々の変形実施が可能である。なお、前述した延設部２４は、ボタンフレーム２０にボタン部１０を取り付ける際に係止フック２５をボタン基部１１に係止し易くなるように、延設部２４が簡単に撓むよう屈曲した形状となっていて、延設部２４の復元力を利用してボタン部１０を確実に保持することができる。
【００１９】
以上のように上記構成によれば、テレビジョン受像機１は、直接触れて操作を行うボタン部１０と、ボタン部１０を取り付けテレビジョン受像機１のキャビネット２内部の回路基板５に配置したスイッチ４を押圧してオン及び／又はオフを行うボタンフレーム２０とを別部材として操作ボタン１５を構成し、テレビジョン受像機１のキャビネット２に形成された孔部３から前記ボタン部１０の操作部突起１２を外部に突出させた状態で配置させ、ボタンフレーム２０の前面側に鉤状の係合フック２５などの係止手段を設け、ボタンフレーム２０の係止フック２５によりボタン部１０のボタン基部１１を係止させ、ボタン部１０とボタンフレーム２０とを一体的に設けたものである。
【００２０】
係止フック２５などの係止手段によりボタンフレーム２０にボタン部１０の取り付けを行うことができ、ボタン部１０をボタンフレーム２０に取り付けた状態では、このボタンフレーム２０の背面側に係止手段である係止フック２５が配置されることがない為、キャビネット２内のボタンフレーム２０の後部に空間部を確保することが可能となり、ボタンフレーム２０の背面側に係止フック２５の先端部等が突出することがない為、ボタンフレーム２０の後部２０Ａにスイッチ４などを近づけた状態で配置することができ、結果的に、ボタンフレーム２０とスイッチ４などの部品を配置した回路基板５との間隔を小さくして配置することができるので、ボタンフレーム２０と回路基板５との間隔を小さくすることが可能になることで電子機器たるテレビジョン受像機１の小型化を図ることが可能となる。
【００２１】
さらに、ボタン部１０の表面は導電性を有する被覆層を備え、ボタンフレーム２０の材質が導電性を有さない樹脂製であるので、表面を導電性を有する被覆層を備えたボタン部１０を樹脂製のボタンフレーム２０に取り付けた状態において、ボタン部１０が静電気などにより帯電状態であったとしても、ボタン部１０に帯電された静電気を、導電性を有さないボタンフレーム２０により遮断することができるので、ボタンフレーム２０の背面側にスイッチ４などを近づけて配置したとしても、ボタン部１０からスイッチ４を介してスイッチ４の配置された回路基板５への静電気によるショートを防止することができる。なお、本実施例におけるボタン部１０の表面は、導電性を有する被覆層として、その表面がメッキ処理されているが、特にこれに限定するものではなく、樹脂製のボタン部１０に金属キャップを覆って設けたり、ボタン部１０のそのものの材質を金属合金にするなど種々の変形実施も可能である。
【００２２】
さらに、ボタンフレーム２０とボタン部１０とを一体的に取り付ける時は、係止フック２５をボタン基部１１に接触させボタンフレーム２０の延設部２４を撓ませながら変形させ係止フック２５を係止させるので、ボタン部１０の表面が金属又は金属合金等の導電性の被覆層を備えていることにより、係止フック２５とボタン部１０との接触部の摩擦係数が、樹脂製同士の部材の接触よりも小さくすることが可能となるので、スムーズにボタンフレーム２０にボタン部１０を取り付けることができ、こういった取り付け中に係止フック２５や延設部２４の一部に力が集中して加わることを軽減でき、係止フック２５や延設部２４が折れて破損してしまう危険性を回避することが可能となる。
【実施例２】
【００２３】
図７〜図１０は本発明の実施例２を示したものであり、図７は電子機器に備えられたボタン部とボタンフレームとからなる操作ボタンの分解斜視図、図８はボタン部とボタンフレームとを一体的に設けた状態を示す斜視図、図９はボタン部を取り付けたボタンフレームを電子機器のキャビネットに取り付けた状態を示す側面図、図１０はボタン部を取り付けたボタンフレームを電子機器のキャビネットに取り付けた状態を示す断面図であり、図７〜図１０に基づいて以下に説明する。なお、前述した実施例１と同一部分には同一符号を付しその詳細な説明を省略する。本実施例においては、実施例１の延設部２４と延設部３４の形状のみが異なっており、延設部２４の形状と異なる本実施例の延設部３４は、図７及び図８に示すように、ボタンフレーム２０の基部２１からボタン部１０側に向かって直線状に延設部３４が形成されているので、図９及び図１０に示すように、スイッチ４と接触される後部２０Ａより後ろ側に延設部３４の一部が突出して配置されることがないようになっており、操作ボタン１５の後部全体が平面状に形成されている。すなわち、この操作ボタンの後部全体に臨む何れの位置であっても、スイッチ４を近づけた状態で配置することができるので設計上の自由度を向上することができる。
【実施例３】
【００２４】
図１１〜図１４は本発明の実施例３を示したものであり、図１１は電子機器に備えられたボタン部とボタンフレームとからなる操作ボタンの分解斜視図、図１２はボタン部とボタンフレームとを一体的に設けた状態を示す斜視図、図１３はボタン部を取り付けたボタンフレームを電子機器のキャビネットに取り付けた状態を示す側面図、図１４はボタン部を取り付けたボタンフレームを電子機器のキャビネットに取り付けた状態を示す断面図であり、図１１〜図１４に基づいて以下に説明する。なお、前述した実施例１乃至実施例２と同一部分には同一符号を付しその詳細な説明を省略する。本実施例においては、係止手段としての係止フック２５の代わりとして、ボタンフレーム２０の前面側に下方から立設したガイドリブ４５を設け、且つ、ボタン部１０のボタン基部１１の両側から前方に突設されたガイド突起４４を形成して、ボタンフレーム２０の上方より、図１１に示す矢印方向にボタン部１０をスライドさせ、ガイドリブ４５とボタンフレーム２０の基部２１との間に係止させ、ボタンフレーム２０とボタン部１０とが、一体的になる構造となっている。なお、本実施例においては、図１１及び図１４に示すように、位置決め突起１３には傾斜部１３Ａが形成されているので、ガイドリブ４５と基部２１との間にボタン基部１１をスムーズにスライドさせ取り付けることができる。
【実施例４】
【００２５】
図１５〜図１８は本発明の実施例４を示したものであり、図１５は電子機器に備えられたボタン部とボタンフレームとからなる操作ボタンの分解斜視図、図１６はボタン部とボタンフレームとを一体的に設けた状態を示す斜視図、図１７はボタン部を取り付けたボタンフレームを電子機器のキャビネットに取り付けた状態を示す側面図、図１８はボタン部を取り付けたボタンフレームを電子機器のキャビネットに取り付けた状態を示す断面図であり、図１５〜図１８に基づいて以下に説明する。なお、前述した実施例２などと同一部分には同一符号を付しその詳細な説明を省略する。本実施例においては、実施例２におけるボタンフレーム２０の形状とほぼ同一であるが、図１５及び図１８に示すように、位置決め突起１３及び貫通孔２６Ａは設けられてなく、ボタン基部１１の両側部に係止凹部５０を形成し、この係止凹部５０に係止フック２５を係止することで、ボタン部１０とボタンフレーム２０との位置決めを行うと共に、ボタンフレーム２０とボタン部１０とが、互いに一体的になる構造となっており、実施例２の延設部３４の前後方向の長さよりその長さ方向の寸法を小さくすることができる。
【図面の簡単な説明】
【００２６】
【図１】実施例１における電子機器を示す斜視図である。
【図２】同上、電子機器に備えられたボタン部とボタンフレームとからなる操作ボタンの分解斜視図である。
【図３】同上、ボタン部とボタンフレームとを一体的に設けた状態を示す斜視図である。
【図４】同上、ボタン部の側面図である。
【図５】同上、ボタン部を取り付けたボタンフレームを電子機器のキャビネットに取り付けた状態を示す側面図である。
【図６】同上、ボタン部を取り付けたボタンフレームを電子機器のキャビネットに取り付けた状態を示す断面図である。
【図７】実施例２における電子機器に備えられたボタン部とボタンフレームとからなる操作ボタンの分解斜視図である。
【図８】同上、ボタン部とボタンフレームとを一体的に設けた状態を示す斜視図である。
【図９】同上、ボタン部を取り付けたボタンフレームを電子機器のキャビネットに取り付けた状態を示す側面図である。
【図１０】同上、ボタン部を取り付けたボタンフレームを電子機器のキャビネットに取り付けた状態を示す断面図である。
【図１１】実施例３における電子機器に備えられたボタン部とボタンフレームとからなる操作ボタンの分解斜視図である。
【図１２】同上、ボタン部とボタンフレームとを一体的に設けた状態を示す斜視図である。
【図１３】同上、ボタン部を取り付けたボタンフレームを電子機器のキャビネットに取り付けた状態を示す側面図である。
【図１４】同上、ボタン部を取り付けたボタンフレームを電子機器のキャビネットに取り付けた状態を示す断面図である。
【図１５】実施例３における電子機器に備えられたボタン部とボタンフレームとからなる操作ボタンの分解斜視図である。
【図１６】同上、ボタン部とボタンフレームとを一体的に設けた状態を示す斜視図である。
【図１７】同上、ボタン部を取り付けたボタンフレームを電子機器のキャビネットに取り付けた状態を示す側面図である。
【図１８】同上、ボタン部を取り付けたボタンフレームを電子機器のキャビネットに取り付けた状態を示す断面図である。
【符号の説明】
【００２７】
１  テレビジョン受像機（電子機器）
２  キャビネット
３  孔部
４  スイッチ
５  回路基板（基板）
１０  ボタン部
１５  操作ボタン
２０  ボタンフレーム
２５  係止フック（係止手段）
【図１】
2006156244.tif 000003
【図２】
2006156244.tif 000004
【図３】
2006156244.tif 000005
【図４】
2006156244.tif 000006
【図５】
2006156244.tif 000007
【図６】
2006156244.tif 000008
【図７】
2006156244.tif 000009
【図８】
2006156244.tif 000010
【図９】
2006156244.tif 000011
【図１０】
2006156244.tif 000012
【図１１】
2006156244.tif 000013
【図１２】
2006156244.tif 000014
【図１３】
2006156244.tif 000015
【図１４】
2006156244.tif 000016
【図１５】
2006156244.tif 000017
【図１６】
2006156244.tif 000018
【図１７】
2006156244.tif 000019
【図１８】
2006156244.tif 000020